(57)【要約】【課題】総量規制値によりトナーの量が規制された場合であっても一定の光沢度を維持しかつ所望の色彩情報の変化を抑制することができる画像処理装置、画像処理方法、およびプログラムを提供する。【解決手段】有色トナーにより再現する画像の入力濃度に対する光沢度に応じたＣＬ付着量を決定し、決定したＣＬ付着量と画像を再現する有色トナーの量との総量が予め設定された総量規制値を超える場合、画像に階調処理を行って、決定したＣＬ付着量および画像を再現する有色トナーの量を減量し、有色トナーの量を減量後の画像の入力濃度に対する光沢度に応じたＣＬ付着量が減量後のＣＬ付着量より少ない場合、有色トナーの量を減量後の画像を再現する有色トナーの量を減量し、有色トナーの量を減量後の画像の濃度に対する光沢度に応じたＣＬ付着量が減量後のＣＬ付着量より多い場合、有色トナーの量を減量後の画像を再現する有色トナーの量を増量する。【選択図】図３
2011150026.tif 000002
【特許請求の範囲】
【請求項１】
有色トナーにより再現する画像の濃度に対する光沢度に応じたクリアトナーの量を決定する決定手段と、
前記決定したクリアトナーの量と前記画像を再現する有色トナーの量との総量が予め設定された総量規制値を超える場合、前記画像に階調処理を行って、前記決定したクリアトナーの量および前記画像を再現する有色トナーの量を減量する減量手段と、
有色トナーの量を減量後の画像の濃度に対する光沢度に応じたクリアトナーの量が減量後のクリアトナーの量より少ない場合、前記有色トナーの量を減量後の画像を再現する有色トナーの量を減量し、前記有色トナーの量を減量後の画像の濃度に対する光沢度に応じたクリアトナーの量が前記減量後のクリアトナーの量より多い場合、前記有色トナーの量を減量後の画像を再現する有色トナーの量を増量する補正手段と、
を備えたことを特徴とする画像処理装置。
【請求項２】
前記画像の文字部および絵柄部を検出する検出手段をさらに備え、
前記決定手段は、前記画像の濃度に対する光沢度に応じたクリアトナーの量を、前記検出した文字部および絵柄部それぞれに決定することを特徴とする請求項１に記載の画像処理装置。
【請求項３】
有色トナーの階調パターンを出力する出力手段と、
前記出力手段により出力した前記階調パターンの光沢度を検知する検知手段と、
前記検知した光沢度と前記階調パターンの濃度とを対応付けた光沢度特性を作成する第１作成手段と、
前記階調パターンの濃度と、前記光沢度特性において前記階調パターンの濃度と対応付けられた光沢度に応じたクリアトナーの量とを対応付けた付着量テーブルを作成する第２作成手段と、をさらに備え、
前記決定手段は、前記付着量テーブルにおいて前記画像の濃度と対応付けられたクリアトナーの量を、前記画像の濃度に対する光沢度に応じたクリアトナーの量として決定することを特徴とする請求項１または２に記載の画像処理装置。
【請求項４】
文字部の階調処理が行なわれた有色トナーの第１階調パターンおよび絵柄部の階調処理が行なわれた有色トナーの第２階調パターンを出力する出力手段と、
前記出力手段により出力した前記第１階調パターンの光沢度および前記第２階調パターンの光沢度を検知する検知手段と、
前記検知した第１階調パターンの光沢度と前記第１階調パターンの濃度とを対応付けた第１光沢度特性、および前記検知した第２階調パターンの光沢度と前記第２階調パターンの濃度とを対応付けた第２光沢度特性を作成する第１作成手段と、
前記第１階調パターンの濃度と、前記第１光沢度特性において前記第１階調パターンの濃度と対応付けられた光沢度に応じたクリアトナーの量とを対応付けた第１付着量テーブル、および前記第２階調パターンの濃度と、前記第２光沢度特性において前記第２階調パターンの濃度と対応付けられた光沢度に応じたクリアトナーの量とを対応付けた第２付着量テーブルを作成する第２作成手段と、をさらに備え、
前記決定手段は、前記第１付着量テーブルにおいて前記検出した文字部の濃度と対応付けられたクリアトナーの量を、前記検出した文字部の濃度に対する光沢度に応じたクリアトナーの量として決定し、前記第２付着量テーブルにおいて前記検出した絵柄部の濃度と対応付けられたクリアトナーの量を、前記検出した絵柄部の濃度に対する光沢度に応じたクリアトナーの量として決定することを特徴とする請求項２に記載の画像処理装置。
【請求項５】
画像処理装置で実行される画像処理方法であって、
前記画像処理装置は、
決定手段が、有色トナーにより再現する画像の濃度に対する光沢度に応じたクリアトナーの量を決定する決定工程と、
減量手段が、前記決定したクリアトナーの量と前記画像を再現する有色トナーの量との総量が予め設定された総量規制値を超える場合、前記画像に階調処理を行って、前記決定したクリアトナーの量および前記画像を再現する有色トナーの量を減量する減量工程と、
補正手段が、有色トナーの量を減量後の画像の濃度に対する光沢度に応じたクリアトナーの量が減量後のクリアトナーの量より少ない場合、前記有色トナーの量を減量後の画像を再現する有色トナーの量を減量し、前記有色トナーの量を減量後の画像の濃度に対する光沢度に応じたクリアトナーの量が前記減量後のクリアトナーの量より多い場合、前記有色トナーの量を減量後の画像を再現する有色トナーの量を増量する補正工程と、
を含むことを特徴とする画像処理方法。
【請求項６】
検出手段が、前記画像の文字部および絵柄部を検出する検出工程をさらに含み、
前記決定工程は、前記画像の濃度に対する光沢度に応じたクリアトナーの量を、前記検出した文字部および絵柄部それぞれに決定することを特徴とする請求項５に記載の画像処理方法。
【請求項７】
出力手段が、有色トナーの階調パターンを出力する出力工程と、
検知手段が、前記出力した階調パターンの光沢度を検知する検知工程と、
第１作成手段が、前記検知した光沢度と前記階調パターンの濃度とを対応付けた光沢度特性を作成する第１作成工程と、
第２作成手段が、前記階調パターンの濃度と、前記光沢度特性において前記階調パターンの濃度と対応付けられた光沢度に応じたクリアトナーの量とを対応付けた付着量テーブルを作成する第２作成工程と、をさらに含み、
前記決定工程は、前記付着量テーブルにおいて前記画像の濃度と対応付けられたクリアトナーの量を、前記画像の濃度に対する光沢度に応じたクリアトナーの量として決定することを特徴とする請求項５または６に記載の画像処理方法。
【請求項８】
出力手段が、文字部の階調処理が行なわれた有色トナーの第１階調パターンおよび絵柄部の階調処理が行なわれた有色トナーの第２階調パターンを出力する出力工程と、
検知手段が、前記出力した第１階調パターンの光沢度および前記出力した第２階調パターンの光沢度を検知する検知工程と、
第１作成手段が、前記検知した第１階調パターンの光沢度と前記第１階調パターンの濃度とを対応付けた第１光沢度特性、および前記検知した第２階調パターンの光沢度と前記第２階調パターンの濃度とを対応付けた第２光沢度特性を作成する第１作成工程と、
第２作成手段が、前記第１階調パターンの濃度と、前記第１光沢度特性において前記第１階調パターンの濃度と対応付けられた光沢度に応じたクリアトナーの量とを対応付けた第１付着量テーブル、および前記第２階調パターンの濃度と、前記第２光沢度特性において前記第２階調パターンの濃度と対応付けられた光沢度に応じたクリアトナーの量とを対応付けた第２付着量テーブルを作成する第２作成工程と、をさらに含み、
前記決定工程は、前記第１付着量テーブルにおいて前記検出した文字部の濃度と対応付けられたクリアトナーの量を、前記検出した文字部の濃度に対する光沢度に応じたクリアトナーの量として決定し、前記第２付着量テーブルにおいて前記検出した絵柄部の濃度と対応付けられたクリアトナーの量を、前記検出した絵柄部の濃度に対する光沢度に応じたクリアトナーの量として決定することを特徴とする請求項６に記載の画像処理方法。
【請求項９】
請求項５から８のいずれか一に記載の画像処理方法をコンピュータに実行させるためのプログラム。
【発明の詳細な説明】
【技術分野】
【０００１】
本発明は、画像処理装置、画像処理方法、およびプログラムに関する。
【背景技術】
【０００２】
従来、ＣＭＹＫのような有色トナーに対して付加価値を与えるために、光沢度の上昇を目的としてクリアトナーを利用する画像形成装置や、光沢度の上昇だけでなく均一な光沢感や粒状感を向上させる画像処理装置がある。
【０００３】
例えば、特許文献１によれば、光沢度の特性として、一般的に、白紙やベタ部の光沢度が高く（特に、ベタ部の光沢度が最も高い）、中間色の光沢度が低くなる傾向にあるため、ベタ部の光沢度を目標とするようにクリアトナーの量を制御して、全面均一な光沢度になるような処理が提案されている。
【発明の概要】
【発明が解決しようとする課題】
【０００４】
ところで、有色トナーに対して付加価値を与えるためにクリアトナーを利用する場合に、２次色や３次色のような混色箇所に、色再現性や光沢性を重視してクリアトナーをさらに付着させると、当該混色箇所におけるトナーの総量が作像装置側での総量規制値を超えてしまう虞がある。この場合、有色トナーに対して付加価値を与える以前に、トナーの定着異常による異常画像が出力されることが懸念される。
【０００５】
より光沢度を高めた画像が望まれる場合においては、クリアトナーを付着しなければならないケースもあるが、この場合プロセスの制約上（例えば、作像装置側での総量規制値など）、クリアトナーの量が減らされるため、結果として望ましい光沢度の画像が得られない場合がある。
【０００６】
本発明は、上記に鑑みてなされたものであって、総量規制値によりトナーの量が規制された場合であっても一定の光沢度を維持しかつ所望の色彩情報の変化（明度や彩度のずれ）を抑制することができる画像処理装置、画像処理方法、およびプログラムを提供することを目的とする。
【課題を解決するための手段】
【０００７】
上述した課題を解決し、目的を達成するために、本発明は、有色トナーにより再現する画像の濃度に対する光沢度に応じたクリアトナーの量を決定する決定手段と、前記決定したクリアトナーの量と前記画像を再現する有色トナーの量との総量が予め設定された総量規制値を超える場合、前記画像に階調処理を行って、前記決定したクリアトナーの量および前記画像を再現する有色トナーの量を減量する減量手段と、有色トナーの量を減量後の画像の濃度に対する光沢度に応じたクリアトナーの量が減量後のクリアトナーの量より少ない場合、前記有色トナーの量を減量後の画像を再現する有色トナーの量を減量し、前記有色トナーの量を減量後の画像の濃度に対する光沢度に応じたクリアトナーの量が前記減量後のクリアトナーの量より多い場合、前記有色トナーの量を減量後の画像を再現する有色トナーの量を増量する補正手段と、を備えたことを特徴とする。
【０００８】
また、本発明は、画像処理装置で実行される画像処理方法であって、前記画像処理装置は、決定手段が、有色トナーにより再現する画像の濃度に対する光沢度に応じたクリアトナーの量を決定する決定工程と、減量手段が、前記決定したクリアトナーの量と前記画像を再現する有色トナーの量との総量が予め設定された総量規制値を超える場合、前記画像に階調処理を行って、前記決定したクリアトナーの量および前記画像を再現する有色トナーの量を減量する減量工程と、補正手段が、有色トナーの量を減量後の画像の濃度に対する光沢度に応じたクリアトナーの量が減量後のクリアトナーの量より少ない場合、前記有色トナーの量を減量後の画像を再現する有色トナーの量を減量し、前記有色トナーの量を減量後の画像の濃度に対する光沢度に応じたクリアトナーの量が前記減量後のクリアトナーの量より多い場合、前記有色トナーの量を減量後の画像を再現する有色トナーの量を増量する補正工程と、を含むことを特徴とする。
【発明の効果】
【０００９】
本発明によれば、有色トナーにより再現する画像の濃度に対する光沢度に応じたクリアトナーの量を決定し、決定したクリアトナーの量と画像を再現する有色トナーの量との総量が予め設定された総量規制値を超える場合、画像に階調処理を行って、決定したクリアトナーの量および画像を再現する有色トナーの量を減量し、有色トナーの量を減量後の画像の濃度に対する光沢度に応じたクリアトナーの量が減量後のクリアトナーの量より少ない場合、有色トナーの量を減量後の画像を再現する有色トナーの量を減量し、有色トナーの量を減量後の画像の濃度に対する光沢度に応じたクリアトナーの量が減量後のクリアトナーの量より多い場合、有色トナーの量を減量後の画像を再現する有色トナーの量を増量することにより、総量規制処理によりクリアトナーの量が必要以上に減量されることを防止できるので、総量規制処理によりトナーの量が規制された場合であっても一定の光沢度を維持しかつ所望の色彩情報の変化（明度や彩度のずれ）を抑制することができる、という効果を奏する。
【図面の簡単な説明】
【００１０】
【図１】図１は、本発明の第１の実施の形態にかかる複合機の構成を示すブロック図である。
【図２】図２は、画像データ処理装置の具体的な構成を示すブロック図である。
【図３】図３は、トナーコントロール処理部のより具体的な構成を示すブロック図である。
【図４】図４は、入力濃度と光沢度とを対応付けた光沢度特性を示す図である。
【図５】図５は、ＣＬ付着量テーブルを示す図である。
【図６】図６は、総量規制処理の影響によるＣＭＹＫＣＬ画像の色度の変化例を示す図である。
【図７】図７は、（ａ＊，ｂ＊）＝（ａ１＊，ｂ１＊）を中心とした場合にａ２＊，ｂ２＊がどの色相領域にあるかを分類する図である。
【図８】図８は、各色相領域のＣＭＹの色材の量の減量バランスを示す図である。
【図９】図９は、画像データ処理装置の具体的な構成を示すブロック図である。
【図１０】図１０は、読取り装置の構成を示す概略図である。
【図１１】図１１は、光沢度検知部の構成を示す概略図である。
【図１２】図１２は、ＣＭＹＫの色材の階調パターンを示す図である。
【図１３】図１３は、第１階調パターンおよび第２階調パターンを示す図である。
【発明を実施するための形態】
【００１１】
以下に添付図面を参照して、この発明にかかる画像処理装置、画像処理方法、およびプログラムの最良な実施の形態を詳細に説明する。なお、本実施の形態では、本発明の画像処理装置を、コピー機能、プリンタ機能、スキャナ機能およびファクシミリ機能のうち少なくとも２つの機能を有する複合機（ＭＦＰ：Multi  Function  Peripheral）に適用した例を挙げて説明するが、複写機、プリンタ、スキャナ装置、ファクシミリ装置等の画像処理装置であればいずれにも適用することができる。
【００１２】
（第１の実施の形態）
図１は、本発明の第１の実施の形態にかかる複合機の構成を示すブロック図である。本実施の形態にかかる複合機１００は、読取り装置１０１、画像データ処理装置１０２、バス制御装置１０３、ＨＤＤ１０４、ＣＰＵ１０５、メモリ１０６、プロッタＩ／Ｆ装置１０７、プロッタ装置１０８、操作表示装置１０９、回線Ｉ／Ｆ装置１１０、外部Ｉ／Ｆ装置１１１、Ｓ．Ｂ．１１２、ＲＯＭ１１３などを備える。
【００１３】
読取り装置１０１は、原稿をスキャンすることで得る原稿の濃淡情報から、ＲＧＢ各８ビットのデジタル画像データを生成して画像データ処理装置１０２に出力する。
【００１４】
画像データ処理装置１０２は、読取り装置１０１から出力されたＲＧＢ各８ビットのデジタル画像データに対して画像処理を施してバス制御装置１０３に出力する。
【００１５】
バス制御装置１０３は、複合機１００内での必要なデジタル画像データや制御コマンド等の各種データのやり取りを行なう。
【００１６】
ＨＤＤ（Hard  Disk  Drive）１０４は、デジタル画像データおよび当該デジタル画像データの付帯情報を蓄積するための記憶装置である。
【００１７】
ＣＰＵ１０５は、複合機１００の制御全体を司るマイクロプロセッサである。
【００１８】
メモリ１０６は、ＣＰＵ１０５がＭＦＰ１００の制御を行なう際に、プログラムや中間処理データを一時的に記憶するためなどに使用される揮発性メモリである。
【００１９】
プロッタＩ／Ｆ装置１０７は、ＣＰＵ１０５から送られてくるＣＭＹＫの色材（有色トナー）により再現されるＣＭＹＫのデジタル画像データ（ＣＭＹＫ画像とする）またはＣＭＹＫ画像の濃度に対する光沢度に応じたクリアトナーの量を示すクリアトナー信号が付加されたＣＭＹＫのデジタル画像データ（ＣＭＹＫＣＬ画像とする）を受け取り、プロッタ装置１０８の専用Ｉ／Ｆに出力する。
【００２０】
プロッタ装置１０８は、ＣＭＹＫのデジタル画像データを受け取ると、レーザービームを用いた電子写真プロセスなどにより、転写紙に画像を出力する。
【００２１】
Ｓ．Ｂ．１１２は、South  Bridgeと呼ばれるバスのブリッジ機能を汎用回路化したものである。
【００２２】
ＲＯＭ（Read  Only  Memory）１１３は、ＣＰＵ１０５が複合機１００の制御を行なう際のプログラムが格納されるメモリである。
【００２３】
操作表示装置１０９は、複合機１００とユーザのインターフェースを行う部分であり、液晶表示装置（ＬＣＤ：Liquid  Crystal  Display）とキースイッチとを備え、装置の各種状態や操作方法を液晶表示装置に表示し、ユーザからのキースイッチ入力を検知する。
【００２４】
なお、複合機１００は、電話回線および回線Ｉ／Ｆ装置１１０を介して、複合機１００外にあるＦＡＸ（Facsimile）１１４と画像データの授受を行う。また、複合機１００は、外部Ｉ／Ｆ装置１１１を介して、複合機１００外にあるＰＣ（Personal  Computer）１１５と各種制御やデジタル画像データの入出力を行う。
【００２５】
図２は、画像データ処理装置の具体的な構成を示すブロック図である。画像データ処理装置１０２は、スキャナγ変換部２０１、フィルタ処理部２０２、トナーコントロール処理部３００、変倍圧縮部２０５、圧縮処理部２０６、階調処理部２０７などを備える。
【００２６】
スキャナγ変換部２０１は、反射率がリニアな入力されたＲＧＢ各８ビットのデジタル画像データ（以下、ＲＧＢ画像とする）に対して濃度がリニアになるようなγ変換を行う。
【００２７】
フィルタ処理部２０２は、入力されたＲＧＢ画像に対して平滑化やエッジ強調処理を行う。
【００２８】
トナーコントロール処理部３００は、色補正部２０３およびプリンタγ処理部２０４を備える。色補正部２０３は、入力されたＲＧＢ画像をＣＭＹＫのデジタル画像データ（ＣＭＹＫ画像とする）に変換する処理を行う。プリンタγ処理部２０４は、クリアトナー信号の付加、階調性の変換、総量規制、トナーコントロール等、出力する画像の補正を行う。
【００２９】
変倍圧縮部２０５は、ＣＭＹＫ画像の縮小や拡大処理を行う。
【００３０】
圧縮処理部２０６は、必要に応じてＣＭＹＫ画像の圧縮伸張処理を行う。なお、圧縮伸張処理は、ＪＰＥＧ等の非可逆なものでも良いし、伸張するケースにおいてはＰＮＧ等の画像劣化を防ぐ可逆な圧縮方式でも良い。
【００３１】
階調処理部２０７は、作像条件に従って、ＣＭＹＫ画像のドットパターンを作成し、擬似的にＣＭＹＫ画像の階調性の確保を行うものである。
【００３２】
図３は、トナーコントロール処理部のより具体的な構成を示すブロック図である。トナーコントロール処理部３００は、３ＤＬＵＴ部３０１、ＵＣＲ／ＵＣＡ処理部３０２、プリンタγ処理部３０３、クリアトナー付加部３０４、総量規制部３０５、適応ＣＬγ処理部３０６を備える。なお、３ＤＬＵＴ部３０１は、図２に示す色補正部２０３に含まれ、ＵＣＲ／ＵＣＡ処理部３０２、プリンタγ処理部３０３、クリアトナー付加部３０４、総量規制部３０５、および適応ＣＬγ処理部３０６は、図２に示すプリンタγ処理部２０４に含まれるものとする。
【００３３】
３ＤＬＵＴ部３０１は、ＣＭＹＫの色材により再現可能な色再現範囲に従って、ガマットマッピングを行ってＲＧＢ画像をＣＭＹ版の画像（以下、ＣＭＹ画像とする）に変換する。なお、ガマットマッピングは、彩度保存、明度保存、色差最小等の公知の手法を用いるものとする。
【００３４】
ＵＣＲ／ＵＣＡ処理部３０２は、ＵＣＲ処理およびＵＣＡ処理を行ってＣＭＹ画像をＣＭＹＫ版の画像（ＣＭＹＫ画像）に変換する。ＵＣＲ処理は、等量のＣＭＹをＫに置き換える処理であり、ＵＣＡ処理は、ＣＭＹから置き換えられたＫに対して一定のＣＭＹを加算する処理である。
【００３５】
プリンタγ処理部３０３は、ＣＭＹＫ画像の各版の画像に対して、例えばキャリブレーションパターンを読み込み、そのプロッタ特性を補正するγ処理やコントラストを意図的にコントロールするγ処理等の任意のγ処理をかけることができるものである。
【００３６】
クリアトナー付加部３０４（決定部）は、ＣＭＹＫ画像の濃度（以下、入力濃度とする）に対する光沢度に応じたクリアトナーの量（以下、ＣＬ付着量とする）を決定し、決定したＣＬ付着量を示すクリアトナー信号をＣＭＹＫ画像に付加したＣＭＹＫＣＬ画像を作成する。
【００３７】
図４は、入力濃度と光沢度とを対応付けた光沢度特性を示す図である。図４に示す光沢度特性は、プロッタ特性（作像条件）に従って階調処理を行ったＣＭＹＫ画像を出力した場合の入力濃度と光沢度との関係を示すものである。図４に示すように、光沢度特性は、ドットパターンが形成されない白部（入力濃度が０）とドットパターンが埋まったベタ部（入力濃度が２５５）に近づいていく程、光沢度が向上する。なお、図４に示す光沢度特性は、ベタ部において光沢度がピークを向えるが、プロッタ特性によっては白部において光沢度のピークを向える場合もある。
【００３８】
前述したように、光沢度特性は、プロッタ特性と階調処理により決まるため、この光沢度特性に対するＣＬ付着量を管理する必要がある。そこで、本実施の形態では、プロッタ特性に従って階調処理を行ったＣＭＹＫ画像の入力濃度と、当該入力濃度に対する光沢度に応じたＣＬ付着量を示すＣＬ付着量テーブル（図５に示す）をＣＭＹＫ画像の各版に対して作成することによりＣＬ付着量を管理する。図５は、ＣＬ付着量テーブルを示す図である。
【００３９】
したがって、本実施の形態では、クリアトナー付加部３０４は、ＣＭＹＫ画像の各版に対してＣＬ付着量を決定する。よって、ある画素のＣＬ付着量は、
ＣＬ＝ＣＬ＿ｃ＋ＣＬ＿ｍ＋ＣＬ＿ｙ＋ＣＬ＿ｋ
とする。
【００４０】
また、キャリブレーションパターン（階調処理パターン）によっては、重なる版もあるため、その場合のある画素のＣＬ付着量は、
ＣＬ＝ＭＡＸ（ＣＬ＿ｃ＋ＣＬ＿ｍ＋ＣＬ＿ｙ＋ＣＬ＿ｋ）
とすることで、不必要にトナーが使用されることを防ぐことができる場合がある。
【００４１】
総量規制部３０５（減量部）は、ＣＭＹＫＣＬ画像に対して総量規制処理を行うものである。総量規制処理は、プロセス上の制約を反映したものであり、定着不良を防止するために、ＣＭＹＫＣＬ画像に付加されたクリアトナー信号が示すクリアトナーの量とＣＭＹＫＣＬ画像を再現するＣＭＹＫの色材の量の総量が、予め設定された総量規制値を超える場合に、ＣＭＹＫＣＬ画像に階調処理を行って、ＣＭＹＫＣＬ画像に付加されたクリアトナー信号が示すクリアトナーの量およびＣＭＹＫＣＬ画像を再現するＣＭＹＫの色材の量を減量する処理である。
【００４２】
例えば、総量規制部３０５は、総量規制値（Ｍａｘ＿ｔｏｎｅｒ）を総量（Ｍａｘ＝Ｃ´＋Ｍ´＋Ｙ´＋Ｋ´＋ＣＬ）が超えた場合（Ｍａｘ＞Ｍａｘ＿ｔｏｎｅｒ）、
Ｃ´´＝（Ｃ´＊（Ｍａｘ＿ｔｏｎｅｒ−Ｋ´））／（Ｃ´＋Ｍ´＋Ｙ´＋ＣＬ）
Ｍ´´＝（Ｍ´＊（Ｍａｘ＿ｔｏｎｅｒ−Ｋ´））／（Ｃ´＋Ｍ´＋Ｙ´＋ＣＬ）
Ｙ´´＝（Ｙ´＊（Ｍａｘ＿ｔｏｎｅｒ−Ｋ´））／（Ｃ´＋Ｍ´＋Ｙ´＋ＣＬ）
Ｋ´´＝Ｋ´
ＣＬ´´＝Ｍａｘ＿ｔｏｎｅｒ−Ｃ´´−Ｍ´´−Ｙ´´−Ｋ´´
とする。
【００４３】
各版の色材の減量は、
ΔＣ＝Ｃ´−Ｃ´´
ΔＭ＝Ｍ´−Ｍ´´
ΔＹ＝Ｙ´−Ｙ´´
ΔＫ＝Ｋ´−Ｋ´´
ΔＣＬ＝ＣＬ−ＣＬ´´
となる。
【００４４】
適応ＣＬγ処理部３０６（補正部）は、このように得られたＣ´´，Ｍ´´，Ｙ´´，Ｋ´´，ＣＬ´´（総量を減量後のＣＭＹＫＣＬ画像を再現する色材の量）を、均一な光沢度を維持する方向に補正する。
【００４５】
具体的には、適応ＣＬγ処理部３０６は、まず、図５に示すＣＬ付着量テーブルを参照して、ＣＭＹＫの色材の量を減量後のＣＭＹＫＣＬ画像の入力濃度に対する光沢度に応じたＣＬ付着量（ＣＬ´´´）を決定する。次いで、適応ＣＬγ処理部３０６は、決定したＣＬ´´´と減量後のＣＭＹＫＣＬ画像に付加されたクリアトナー信号が示すＣＬ付着量（ＣＬ´´）との差分（ΔＣＬ＿ｔ）を決定する。
ΔＣＬ＿ｔ＝ＣＬ´´´−ＣＬ´´
【００４６】
そして、適応ＣＬγ処理部３０６は、ΔＣＬ＿ｔ＝０の場合（Ｃ´´´，Ｍ´´´，Ｙ´´´，Ｋ´´´，ＣＬ´´´＝Ｃ´´，Ｍ´´，Ｙ´´，Ｋ´´，ＣＬ´´）、減量後のＣＭＹＫＣＬ画像が光沢度を保持している状態なので特に補正を行わない。
【００４７】
一方、適応ＣＬγ処理部３０６は、ΔＣＬ＿ｔ＞０の場合（ＣＬ´´がＣＬ´´´より少ない場合）、減量後のＣＭＹＫＣＬ画像は光沢度を均一にする色材の量に対して不足しているため、減量後のＣＭＹＫＣＬ画像を再現するＣＭＹＫの色材の量（Ｃ´´，Ｍ´´，Ｙ´´）を減量する補正処理Ａを行う。
【００４８】
また、適応ＣＬγ処理部３０６は、ΔＣＬ＿ｔ＜０の場合（ＣＬ´´がＣＬ´´´より多い場合）、減量後のＣＭＹＫＣＬ画像は光沢度を均一にする色材の量に対して余剰があるため、減量後のＣＭＹＫＣＬ画像を再現するＣＭＹＫの色材の量（Ｃ´´，Ｍ´´，Ｙ´´）を増量する補正処理Ｂを行う。
【００４９】
ここで、補正処理Ａについて詳細に説明する。まず、適応ＣＬγ処理部３０６は、色材シミュレーションを用いて、総量規制処理前のＣＭＹＫＣＬ画像を再現するＣＭＹＫの色材の量およびＣＬ付着量（Ｃ´，Ｍ´，Ｙ´，Ｋ´，ＣＬ）に対する色度値Ｌ１＊ａ１＊ｂ１＊を算出する。
【００５０】
色度値Ｌ１＊ａ１＊ｂ１＊の算出方法としては、例えば、ハーフトーンモデルにおけるブラックボックスモデルとして有名な重回帰分析法やニューラルネットワーク法といった公知の技術を用いて予め色材シミュレーションを作成しておき、当該色材シミュレーションを用いて色度値Ｌ１＊ａ１＊ｂ１＊をすれば良い。
【００５１】
さらに、適応ＣＬγ処理部３０６は、色材シミュレーションを用いて、総量規制処理後のＣＭＹＫＣＬ画像を再現するＣＭＹＫの色材の量およびＣＬ付着量（Ｃ´´，Ｍ´´，Ｙ´´，Ｋ´´，ＣＬ´´）に対する色度値Ｌ２＊ａ２＊ｂ２＊を算出する。
【００５２】
図６は、総量規制処理の影響によるＣＭＹＫＣＬ画像の色度の変化例を示す図である。総量規制処理の影響によってＣＭＹＫＣＬ画像の色度値のａ＊およびｂ＊が共に負にシフトしている。色度値Ｌ２＊ａ２＊ｂ２＊と色度値Ｌ１＊ａ１＊ｂ１＊とが近くなるようにするためには、ＣＭＹＫの色材の量をコントロールしなければならないが、補正処理Ａにおいては、減量後のＣＭＹＫＣＬ画像を再現するＣＭＹＫの色材の量およびＣＬ付着量（Ｃ´´，Ｍ´´，Ｙ´´，Ｋ´´，ＣＬ´´）を減量しなければならないという制約が入る。したがって、色材の量を減量する方法としては、Ｃを下げる、ＭとＣを下げかつＹを上げる、Ｙを下げる等により、減量後のＣＭＹＫＣＬ画像を再現するＣＭＹＫの色材の量およびＣＬ付着量（Ｃ´´，Ｍ´´，Ｙ´´，Ｋ´´，ＣＬ´´）を減量する方法が考えられる。
【００５３】
また、色材の量を減量することができる範囲（以下、補正要求範囲とする）は、ΔＣＬ＿ｔの分だけである。つまり、補正要求範囲は、ΔＣＬ＿ｔ＝（Ｃ＿ｅｘ＋Ｍ＿ｅｘ＋Ｙ＿ｅｘ）となる。したがって、適応ＣＬγ処理部３０６は、トータルでΔＣＬ＿ｔの分だけ、減量後のＣＭＹＫＣＬ画像を再現するＣＭＹＫの色材の量をコントロールすることができる。ΔＣＬ＿ｔの定義は、例えば、以下のようにする。
【００５４】
図７は、（ａ＊，ｂ＊）＝（ａ１＊，ｂ１＊）を中心とした場合にａ２＊，ｂ２＊がどの色相領域にあるかを分類する図である。適応ＣＬγ処理部３０６は、ａ２＊，ｂ２＊がどの色相領域にあるかによりＣＭＹの色材の量の減量バランスを決定する。
【００５５】
図８は、各色相領域のＣＭＹの色材の量の減量バランスを示す図である。図８に示す減量バランスは、減量するＣＭＹの色材の量の合計をΔＣＬ＿ｔとして、各版をどの割合で減量するかを示したものである。例えば、ａ２＊，ｂ２＊がＨＵＥＨ０にある場合、Ｃは減量せず、ＭはΔＣＬ＿ｔの４割分を減量し、ＹはΔＣＬ＿ｔの６割分を減量する。
【００５６】
以上のようにして、適応ＣＬγ処理部３０６は、各画素のＣ＿ｅｘ，Ｍ＿ｅｘ，Ｙ＿ｅｘを決定する。なお、本実施の形態においては、シンプルにＣ＿ｅｘ，Ｍ＿ｅｘ，Ｙ＿ｅｘを決定しているが、色相の連続性をより自然にするために回路数を増やし、隣接画素のＨＵＥＨ属性情報を、減量するＣＭＹの色材の量の決定にフィードバックして階調性を重視する形式にしても良い。
【００５７】
次に、補正処理Ｂについて詳細に説明する。補正処理Ｂでは、減量後のＣＭＹＫＣＬ画像の光沢度を均一にする色材の量に対するＣＬの余剰分Ａｂｓ（ΔＣＬ＿ｔ）、ＣＭＹＫの色材の量を増量すれば良い。
【００５８】
つまり、ＣＭＹの色材の増量分（Ｃ＿ａｄｄ，Ｍ＿ａｄｄ，Ｙ＿ａｄｄ）は、総量規制値をフィードバックする方向に、
Ｃ＿ａｄｄ＝Ａｂｓ（ΔＣＬ＿ｔ）＊（Ｃ´´＋Ｍ´´＋Ｙ´´）
Ｍ＿ａｄｄ＝Ａｂｓ（ΔＣＬ＿ｔ）＊（Ｃ´´＋Ｍ´´＋Ｙ´´）
Ｙ＿ａｄｄ＝Ａｂｓ（ΔＣＬ＿ｔ）＊（Ｃ´´＋Ｍ´´＋Ｙ´´）
と決定することができる。補正処理Ｂは、ＣＭＹの色材の量を減量しすぎた場合に行われるため、減量しすぎたＣＭＹの色材の量を増量することで、ＣＭＹＫＣＬ画像を本来意図している色度に近づけることができる。
【００５９】
このように本実施の形態にかかる複合機１００によれば、ＣＭＹＫの色材により再現するＣＭＹＫ画像の入力濃度に対する光沢度に応じたＣＬ付着量を決定し、決定したＣＬ付着量とＣＭＹＫ画像を再現するＣＭＹＫの色材の量との総量が予め設定された総量規制値を超える場合、ＣＭＹＫ画像に階調処理を行って、決定したＣＬ付着量およびＣＭＹＫ画像を再現するＣＭＹＫの色材の量を減量し、ＣＭＹＫの色材の量を減量後のＣＭＹＫ画像の入力濃度に対する光沢度に応じたＣＬ付着量が減量後のＣＬ付着量より少ない場合、ＣＭＹＫの色材の量を減量後のＣＭＹＫ画像を再現するＣＭＹＫの色材の量を減量し、ＣＭＹＫの色材の量を減量後のＣＭＹＫ画像の濃度に対する光沢度に応じたＣＬ付着量が減量後のＣＬ付着量より多い場合、ＣＭＹＫの色材の量を減量後のＣＭＹＫ画像を再現するＣＭＹＫの色材の量を増量することにより、総量規制処理によりＣＬ付着量が必要以上に減量されることを防止できるので、総量規制処理によりＣＬ付着量が規制された場合であっても一定の光沢度を維持しかつ所望の色彩情報の変化（明度や彩度のずれ）を抑制することができる。
【００６０】
なお、本実施の形態では、ＣＭＹＫ画像の光沢度を重視して、減量後のＣＭＹＫ画像を再現するＣＭＹＫの色材の量を減量または増量しているが、ＣＭＹＫ画像の明度保存や彩度保存を重視して、減量後のＣＭＹＫ画像を再現するＣＭＹＫの色材の量を減量または増量することもできる。この場合、３ＤＬＵＴ部３０１のガマットマッピングによる明度保存や彩度保存などの公知の手法を、適応ＣＬγ処理部３０６における補正と連携することで、より精度が向上した画像の補正を行うことができる。例えば、３ＤＬＵＴ部３０１が明度保存を行う場合、適応ＣＬγ処理部３０６も明度保存を重視して、減量後のＣＭＹＫ画像を再現するＣＭＹＫの色材の量を減量または増量する。
【００６１】
（第２の実施の形態）
本実施の形態は、ＲＧＢ画像の文字部および絵柄部を検出し、ＣＭＹＫの色材により再現するＣＭＹＫ画像の入力濃度に対する光沢度に応じたＣＬ付着量を、検出した文字部および絵柄部それぞれに決定する例である。なお、第１の実施の形態にかかる複合機１００と同様の箇所については説明を省略し、第１の実施の形態にかかる複合機１００と異なる箇所についてのみ説明する。
【００６２】
図９は、画像データ処理装置の具体的な構成を示すブロック図である。画像データ処理装置９００は、像域分離処理部９０１、スキャナγ変換部２０１、フィルタ処理部２０２、トナーコントロール処理部９０２、変倍圧縮部２０５、圧縮処理部２０６、階調処理部２０７などを備える。
【００６３】
像域分離処理部９０１（検出部）は、入力されたＲＧＢ画像の特徴量を抽出することによって、当該ＲＧＢ画像から文字部および絵柄部を検出して、当該ＲＧＢ画像に文字部および絵柄部の検出情報を付帯情報として付加する。
【００６４】
トナーコントロール処理部９０２が備えるプリンタγ処理部９０３（クリアトナー付加部３０４）は、ＵＣＲ／ＵＣＡ処理部３０２においてＲＧＢ画像から変換されたＣＭＹＫ画像の入力濃度に対する光沢度に応じたＣＬ付着量を、当該ＣＭＹＫ画像に付加された検出情報が示す文字部および絵柄部それぞれに決定し、決定した文字部および絵柄部それぞれのＣＬ付着量を示すクリアトナー信号をＣＭＹＫ画像に付加したＣＭＹＫＣＬ画像を作成する。
【００６５】
例えば、文字部のみ光沢度を向上させる場合には、クリアトナー付加部３０４は、文字部にのみＣＬ付着量を決定し、決定した文字部のＣＬ付着量を示すクリアトナー信号を付加したＣＭＹＫＣＬ画像を作成する。さらに、総量規制部３０５が、ＣＭＹＫＣＬ画像の文字部に対して総量規制処理を行い、さらに、適応ＣＬγ処理部３０６が、総量を減量後のＣＭＹＫＣＬ画像の文字部を再現する色材の量を、均一な光沢度を維持する方向に補正する。なお、文字部のみ光沢度を向上させる場合には、クリアトナー付加部３０４における絵柄部のＣＬ付着量の決定および適応ＣＬγ処理部３０６における補正を行なわず、総量規制部３０５のみがＣＭＹＫ画像の絵柄部に対して総量規制処理を行なうものとする。これにより、文字部のみ光沢度を向上させて文字品質を向上させ、かつ絵柄部にはクリアトナーを付着させないことによりクリアトナーの使用量を節減することができる。
【００６６】
また、絵柄部のみ光沢度を向上させる場合には、クリアトナー付加部３０４は、絵柄部にのみＣＬ付着量を決定し、決定した絵柄部のＣＬ付着量を示すクリアトナー信号を付加したＣＭＹＫＣＬ画像を作成する。さらに、総量規制部３０５が、ＣＭＹＫＣＬ画像の絵柄部に対して総量規制処理を行い、さらに、適応ＣＬγ処理部３０６が、総量を減量後のＣＭＹＫＣＬ画像の絵柄部に対して総量規制処理を行い、さらに、適応ＣＬγ処理部３０６が、総量を減量後のＣＭＹＫ画像の絵柄部を再現する色材の量を、均一な光沢度を維持する方向に補正する。なお、絵柄部のみ光沢度を向上させる場合には、クリアトナー付加部３０４における文字部のＣＬ付着量の決定および適応ＣＬγ処理部３０６における補正を行なわず、総量規制部３０５のみがＣＭＹＫ画像の文字部に対して総量規制処理を行なうものとする。これにより、印画紙の複写等、絵柄部の光沢度をより重視したい場合においても、クリアトナーの使用量を節減することができる。
【００６７】
（第３の実施の形態）
本実施の形態は、出力した階調パターンの光沢度を検知し、検知した光沢度と階調パターンの入力濃度とを対応付けた光沢度特性を作成し、階調パターンの入力濃度と、作成した光沢度特性において階調パターンの入力濃度と対応付けられた光沢度に応じたＣＬ付着量とを対応付けた付着量テーブルを作成し、作成した付着量テーブルにおいてＣＭＹＫ画像の入力濃度と対応付けられたＣＬ付着量を、ＣＭＹＫの色材により再現するＣＭＹＫ画像に付着させるＣＬ付着量として決定する例である。なお、第１の実施の形態にかかる複合機１００と同様の箇所については説明を省略し、第１の実施の形態にかかる複合機１００と異なる箇所についてのみ説明する。
【００６８】
図１０は、読取り装置の構成を示す概略図である。なお、本実施の形態では、両面同時読取り装置を読取り装置１０００に適用した例について説明するが、両面同時読取り装置に限定するものではない。
【００６９】
読取り装置１０００の内部には、キセノンランプや蛍光灯で構成される露光量を任意に変更することができる光源１１１１と露光を受ける白板１１１０とミラー１１１３とを備えた第１の走行体１１１２と、ミラー１１１４，１１１６を備えた第２の走行体１１１５と、レンズ１１１７と、一次元の光電変換素子（ＣＣＤ：Charge  Coupled  Device）１１１８、と、シートスルードキュメントフィーダー（ＳＤＦ）ユニット１１０４と、原稿台１１０１と、白基準板１１０７と、裏面読取り用ランプ１１０８と、密着センサ１１０９と、光沢度検知部１１２０と、を備えている。なお、ＳＤＦユニット１１０４は、読取り装置１０００が備える原稿押さえ板の上部に備えられているものとする。
【００７０】
ＳＤＦユニット１１０４は、ＣＰＵ１０５により制御されるステッピングモータ１１０６が駆動することによって、原稿台１１０１にセットされた原稿１１００が、分離ローラ１１０２および搬送ローラ１１０５を介して搬送されていき、第１の走行体１１１２の所定の読取位置まで搬送される。その際、原稿１１００は、一定の速度で搬送されていき、第１の走行体１１１２は停止した状態の原稿１１００の原稿面のデジタル画像データをＣＣＤ１１１８で読み取る。両面読取り時には、ＳＤＦユニット１１０４は、ＣＣＤ１１１８によって白基準板１１０７を読み取った後、裏面読取り用ランプ１１０８からの光を原稿１１００の裏面に照射し、その反射光を密着センサ１１０９で読み取りデジタル画像データを得る。これにより、原稿の表面および裏面のデジタル画像データを同時に得ることができる。
【００７１】
光沢度検知部１１２０（検知部）は、記録媒体（原稿１１００）に印刷された階調パターンの光沢度を検知するものである。図１１は、光沢度検知部の構成を示す概略図である。光沢度検知部１１２０は、タングステンフィラメントランプ等からなる発光部１０ａ、フォトダイオード素子等からなる受光部１０ｂなどを備える。そして、発光部１０ａからの射出光を入射角度θ１（６０°）にて記録媒体Ｐに照射して、出射角度θ２（６０°）で反射する正反射光を受光部１０ｂで受光する。そして、受光部１０ｂで受光した正反射光の大きさによって、記録媒体Ｐの光沢度（６０度光沢度）を検知する。
【００７２】
上述した光沢度検知部１１２０を備える複合機１００において、ＣＬ付着量を決定する処理について以下に説明する。
【００７３】
まず、ＣＰＵ１０５（出力部）は、プロッタＩ／Ｆ装置１０７を介して、ＣＭＹＫの色材の階調パターン（図１２に示す）をプロッタ装置１０８から出力する。図１２は、ＣＭＹＫの色材の階調パターンを示す図である。
【００７４】
次いで、ＣＰＵ１０５は、プロッタ装置１０８から出力された階調パターンが印刷された原稿１１００を読取り装置１０００に通紙し、光沢度検知部１１２０によってＣＭＹＫの色材の階調パターンの光沢度を検知する。さらに、ＣＰＵ１０５は、ＣＣＤ１１１８によってＣＭＹＫの色材の階調パターンのデジタル画像データを得て、そのデジタル画像データの入力濃度を算出する。
【００７５】
ＣＣＤ１１１８は、ＲＧＢで表示されるデジタル画像データを得るため、そのデジタル画像データの入力濃度はＲＧＢから定まる三刺激値ＸＹＺから下記のように定義することができる。
Ｃ＝Ｘ＊α＿ｃ＋Ｙ＊β＿ｃ＋Ｚ＊γ＿ｃ
Ｍ＝Ｘ＊α＿ｍ＋Ｙ＊β＿ｍ＋Ｚ＊γ＿ｍ
Ｙ＝Ｘ＊α＿ｙ＋Ｙ＊β＿ｙ＋Ｚ＊γ＿ｙ
Ｋ＝Ｘ＊α＿ｋ＋Ｙ＊β＿ｋ＋Ｚ＊γ＿ｋ
なお、ＣＭＹＫの各版のα，β，γは、ＣＣＤ１１１８の受光時に分光特性により決まるものである。
【００７６】
次に、ＣＰＵ１０５（第１作成部）は、光沢度検知部１１２によって検知したＣＭＹＫの階調パターンの光沢度と、算出したデジタル画像データ（ＣＭＹＫの階調パターン）の入力濃度とを対応付けた光沢度特性（図４に示す）を作成する。
【００７７】
なお、ＨＤＤ１０４に予め光沢度特性を記憶している場合には、ＣＰＵ１０５は、作成した光沢度特性によって、ＨＤＤ１０４に記憶されている光沢度特性を更新する。複合機１００のキャリブレーションの際に光沢度特性を更新することによって、原稿１１００の光沢度を加味した光沢度特性を作成することができる。
【００７８】
さらに、ＣＰＵ１０５（第２作成部）は、ＣＭＹＫの階調パターンの入力濃度と、作成した光沢度特性においてＣＭＹＫの階調パターンの入力濃度と対応付けられた光沢度に応じたＣＬ付着量とを対応付けた付着量テーブルを作成する。
【００７９】
クリアトナー付加部３０４は、作成した付着量テーブルにおいてＣＭＹＫ画像の入力濃度と対応付けられたＣＬ付着量を、ＣＭＹＫの色材により再現するＣＭＹＫ画像の入力濃度に対する光沢度に応じたＣＬ付着量として決定するものとする。
【００８０】
一般に用紙の光沢度は、紙種によって多様かつ固有のものである。そのため、特に白紙に近い階調においては、ＣＭＹＫ画像の入力濃度が用紙の光沢度の影響を受けたものになる。このため、複合機１００のユーザが利用する用紙に応じて望ましい光沢度特性が変化する。
【００８１】
そこで、本実施の形態では、出力したＣＭＹＫの階調パターンの光沢度を検知し、検知した光沢度とＣＭＹＫの階調パターンの入力濃度とを対応付けた光沢度特性を作成し、ＣＭＹＫの階調パターンの入力濃度と、作成した光沢度特性においてＣＭＹＫの階調パターンの入力濃度と対応付けられた光沢度に応じたＣＬ付着量とを対応付けた付着量テーブルを作成し、作成した付着量テーブルにおいてＣＭＹＫ画像の入力濃度と対応付けられたＣＬ付着量を、ＣＭＹＫの色材により再現するＣＭＹＫ画像の入力濃度に対する光沢度に応じたＣＬ付着量として決定することにより、用紙に応じて望ましい光沢度特性を変化させることができるので、よりユーザの環境に合わせたＣＬ付着量の決定を行うことができる。
【００８２】
（第４の実施の形態）
本実施の形態は、ＣＭＹＫ画像の文字部および絵柄部それぞれに異なる付着量テーブルを作成し、作成した文字部または絵柄部の付着量テーブルにおいて文字部または絵柄部の入力濃度と対応付けられたＣＬ付着量を、文字部または絵柄部の入力濃度に対する光沢度に応じたＣＬ付着量として決定する例である。なお、第３の実施の形態にかかる複合機１００と同様の箇所については説明を省略し、第３の実施の形態にかかる複合機１００と異なる箇所についてのみ説明する。
【００８３】
まず、画像データ処理装置１０２が像域分離処理部９０１を備える場合、ＲＧＢ画像から文字部と絵柄部を検出することができるので、文字部と絵柄部とで画像処理を変えることができる。例えば、文字部の階調処理では、文字再現が良くなるように誤差拡散処理を行い、絵柄部の階調処理では、ディザ処理を行なうなど、それぞれの部位に適切なドットパターンを構成するような画像処理が可能である。
【００８４】
ところで、ドットパターンが変わる場合、ドットパターンに応じてその階調特性や粒状性が変わるため、それに伴い光沢度も変化する。したがって、ドットパターンに応じて光沢度特性を作成することが望ましい。
【００８５】
そこで、ＣＰＵ１０５（出力部）は、プロッタＩ／Ｆ装置１０７を介して、文字部の階調処理（誤差拡散処理）が行なわれたＣＭＹＫの第１階調パターン（図１３に示す）および絵柄部の階調処理（誤差拡散処理）が行なわれたＣＭＹＫの第２階調パターン（図１３に示す）をプロッタ装置１０８から出力する。図１３は、第１階調パターンおよび第２階調パターンを示す図である。
【００８６】
次いで、ＣＰＵ１０５は、プロッタ装置１０８から出力された第１階調パターンおよび第２階調パターンが印刷された原稿１１００を読取り装置１０００に通紙し、光沢度検知部１１２０によって第１階調パターンの光沢度および第２階調パターンの光沢度を検知する。さらに、ＣＰＵ１０５は、ＣＣＤ１１１８によって第１階調パターンのデジタル画像データおよび第２階調パターンのデジタル画像データを得て、そのデジタル画像データの入力濃度を算出する。なお、第１階調パターンおよび第２階調パターンそれぞれのデジタル画像データの入力濃度の算出方法については、第３の実施の形態と同様に行なうものとする。
【００８７】
次に、ＣＰＵ１０５（第１作成部）は、光沢度検知部１１２によって検知した第１階調パターンの光沢度と、算出した第１階調パターンの入力濃度とを対応付けた第１光沢度特性を作成する。さらに、ＣＰＵ１０５は、光沢度検知部１１２によって検知した第２階調パターンの光沢度と、算出した第２階調パターンの入力濃度とを対応付けた第２光沢度特性を作成する。
【００８８】
さらに、ＣＰＵ１０５（第２作成部）は、第１階調パターンの入力濃度と、作成した第１光沢度特性において第１階調パターンの入力濃度と対応付けられた光沢度に応じたＣＬ付着量とを対応付けた第１付着量テーブルを作成し、第１階調パターンの入力濃度と、作成した第２光沢度特性において第１階調パターンの入力濃度と対応付けられた光沢度に応じたＣＬ付着量とを対応付けた第２付着量テーブルを作成する。
【００８９】
そして、クリアトナー付加部３０４は、ＣＰＵ１０５により作成した第１付着量テーブルにおいて文字部の入力濃度と対応付けられたＣＬ付着量を、当該文字部の入力濃度に対する光沢度に応じたＣＬ付着量として決定し、さらに、ＣＰＵ１０５により作成した第２付着量テーブルにおいて絵柄部の入力濃度と対応付けられたＣＬ付着量を、当該絵柄部の入力濃度に対する光沢度に応じたＣＬ付着量として決定する。
【００９０】
このように本実施の形態にかかる複合機１００によれば、ＣＭＹＫ画像の文字部および絵柄部それぞれに異なる付着量テーブルを作成し、作成した文字部または絵柄部の付着量テーブルにおいて文字部または絵柄部の入力濃度と対応付けられたＣＬ付着量を、文字部または絵柄部の入力濃度に対する光沢度に応じたＣＬ付着量として決定することにより、文字部と絵柄部それぞれに適切なＣＬ付着量を決定することができるので、文字部および絵柄部に対してより適切なクリアトナーの付着を行なうことができる。
【００９１】
なお、上述した実施の形態の複合機１００で実行されるプログラムは、ＲＯＭ等に予め組み込まれて提供される。
【００９２】
また、上述した実施の形態の複合機１００で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００９３】
さらに、上述した実施の形態の複合機１００で実行されるプログラムを、インターネット等のネットワークに接続されたコンピュータ上に格納し、ネットワーク経由でダウンロードさせることにより提供するように構成しても良い。また、上述した実施の形態の複合機１００で実行されるプログラムをインターネット等のネットワーク経由で提供または配布するように構成しても良い。
【００９４】
上述した実施の形態の複合機１００で実行されるプログラムは、上述した各部（決定部、減量部、補正部、検出部、検知部、出力部、第１作成部、第２作成部など）を含むモジュール構成となっており、実際のハードウェアとしてはＣＰＵ１０５（プロセッサ）が上記ＲＯＭからプログラムを読み出して実行することにより上記各部が主記憶装置上にロードされ、決定部、減量部、補正部、検出部、検知部、出力部、第１作成部、第２作成部などが主記憶装置上に生成されるようになっている。
【符号の説明】
【００９５】
１００  複合機
１０２，９００  画像データ処理装置
１０５  ＣＰＵ
３００，９０２  トナーコントロール処理部
２０３  色補正部
２０４，９０３  プリンタγ処理部
３０４  クリアトナー付加部
３０５  総量規制部
３０６  適応ＣＬγ処理部
９０１  像域分離処理部
１１２０  光沢度検知部
【先行技術文献】
【特許文献】
【００９６】
【特許文献１】特開２００７−１８３５９３号公報
【図１】
2011150026.tif 000003
【図２】
2011150026.tif 000004
【図３】
2011150026.tif 000005
【図４】
2011150026.tif 000006
【図５】
2011150026.tif 000007
【図６】
2011150026.tif 000008
【図７】
2011150026.tif 000009
【図８】
2011150026.tif 000010
【図９】
2011150026.tif 000011
【図１０】
2011150026.tif 000012
【図１１】
2011150026.tif 000013
【図１２】
2011150026.tif 000014
【図１３】
2011150026.tif 000015